(57)【要約】  【課題】弦やギターの破損を防止し易くするとともに、収納や持ち運びの利便性をより向上したギターを提供する。  【解決手段】ギターは、本体部と、前記本体部に着脱可能なネック部と、弦のネック側の一端を係止し、前記ネック部に着脱可能なネック側弦係止部と、前記本体部の前記ネック部と反対側の後端部に固定された基盤部と、前記基盤部よりもネック側に固定されたブリッジ部と、前記弦の本体側の一端を係止し、前記基盤部に着脱可能な本体側弦係止部とを備える。【選択図】図２
2018028639.tif 000002
【特許請求の範囲】
【請求項１】
本体部と、
前記本体部に着脱可能なネック部と、
弦のネック側の一端を係止し、前記ネック部に着脱可能なネック側弦係止部と、
前記本体部の前記ネック部と反対側の後端部に固定された基盤部と、
前記基盤部よりもネック側に固定されたブリッジ部と、
前記弦の本体側の一端を係止し、前記基盤部に着脱可能な本体側弦係止部と
を備えるギター。
【請求項２】
請求項１に記載のギターであって、
前記基盤部は、前記本体側弦係止部の左右方向の移動を制限する第１の制限部と、前記本体側弦係止部の後端部の上方向への移動を制限する第２の制限部とを備える
ギター。
【請求項３】
請求項２に記載のギターであって、
左右１対の前記第１の制限部は、前記本体部の上面に設けられ、
前記第２の制限部は、前記本体部の後側面に設けられ、
前記本体側弦係止部は、前記第２の制限部に係合する係合部を備え、前記１対の第１の制限部の間に挿入されるとともに、前記係合部が前記第２の制限部に係合することにより、前記基盤部に装着される
ギター。
【請求項４】
請求項１〜３のいずれか一項に記載のギターであって、
前記ブリッジ部は、前記弦を支持するサドルと、前記サドルよりもネック側の壁部材とを有し、前記サドルは、弦方向の位置を調整可能に前記壁部材に接続及び支持される
ギター。
【請求項５】
請求項４に記載のギターであって
前記サドルは、前記壁部材に形成された弦方向の貫通孔に挿入された雄ネジにより接続及び支持され、
前記ブリッジ部は、前記壁部材のネック側に、前記雄ネジの頭部のネック方向への移動を制限する押え部材を有する
ギター。
【請求項６】
請求項５に記載のギターであって、
前記押え部材には、前記雄ネジの頂面の一部を露出させるように、前記雄ネジの頭部の外径よりも小さい内径の貫通孔が形成されている
ギター。
【請求項７】
請求項５に記載のギターであって、
前記雄ネジの頭部には、その直径方向に１つ以上の貫通孔又は有底穴が形成されている
ギター。
【請求項８】
請求項１〜７のいずれか一項に記載のギターであって、
前記本体側弦係止部は、前記弦の本体側の一端の弦方向の位置を調整可能に係止する係止部材を備える
ギター。
【請求項９】
本体部とネック部とを備えるギターの弦係止構造であって、
弦のネック側の一端を係止し、前記ネック部に着脱可能なネック側弦係止部と、
前記本体部の前記ネック部と反対側の後端部に固定される基盤部と、
前記基盤部よりもネック側に固定されるブリッジ部と、
前記弦の本体側の一端を係止し、前記基盤部に着脱可能な本体側弦係止部と
を備える弦係止構造。
【発明の詳細な説明】
【技術分野】
【０００１】
本発明は、ギター、及びその弦係止構造に関する。
【背景技術】
【０００２】
収納や持ち運びの利便性を向上にするために、折り畳んだり分解したりすることができる構造を有するギターが知られている。例えば、特許文献１には、ネック部とボディ部とをジョイントで接続し、ジョイントを回転させることでネック部を折り畳むことができるギターが記載されている。このギターでは、弦の両端は、マシン・ヘッド及びブリッジに固定されている。
【先行技術文献】
【特許文献】
【０００３】
【特許文献１】特開平８−２０２３４８
【発明の概要】
【発明が解決しようとする課題】
【０００４】
一般的に、ギターは、弦を張った状態（弦を緩めてもよい）で保管され、持ち運ばれる。特許文献１のギターは、ネック部がボディ部に向かい合うように折り畳むと、例えば、弦が折れて破損したり、弦がギターの表面に接触して傷つけたりするおそれがある。だからといって、持ち運びの度に弦をギターから取り外したりギターに張ったりするのは、非常に面倒である。
【０００５】
本発明は、弦やギターの破損を防止し易くするとともに、収納や持ち運びの利便性をより向上したギターを提供することを目的とする。
【課題を解決するための手段】
【０００６】
本願は、上記課題の少なくとも一部を解決する手段を複数含んでいるが、その例を挙げるならば、以下のとおりである。
【０００７】
上記の課題を解決する本発明の一態様は、ギターであって、本体部と、前記本体部に着脱可能なネック部と、弦のネック側の一端を係止し、前記ネック部に着脱可能なネック側弦係止部と、前記本体部の前記ネック部と反対側の後端部に固定された基盤部と、前記基盤部よりもネック側に固定されたブリッジ部と、前記弦の本体側の一端を係止し、前記基盤部に着脱可能な本体側弦係止部とを備える。
【０００８】
上記のギターにおいて、前記基盤部は、前記本体側弦係止部の左右方向の移動を制限する第１の制限部と、前記本体側弦係止部の後端部の上方向への移動を制限する第２の制限部とを備えてもよい。
【０００９】
上記のいずれかのギターにおいて、左右１対の前記第１の制限部は、前記本体部の上面に設けられ、前記第２の制限部は、前記本体部の後側面に設けられ、前記本体側弦係止部は、前記第２の制限部に係合する係合部を備え、前記１対の第１の制限部の間に挿入されるとともに、前記係合部が前記第２の制限部に係合することにより、前記基盤部に装着されてもよい。
【００１０】
上記のいずれかのギターにおいて、前記ブリッジ部は、前記弦を支持するサドルと、前記サドルよりもネック側の壁部材とを有し、前記サドルは、弦方向の位置を調整可能に前記壁部材に接続及び支持されてもよい。
【００１１】
上記のいずれかのギターにおいて、前記サドルは、前記壁部材に形成された弦方向の貫通孔に挿入された雄ネジにより接続及び支持され、前記ブリッジ部は、前記壁部材のネック側に、前記雄ネジの頭部のネック方向への移動を制限する押え部材を有してもよい。
【００１２】
上記のいずれかのギターにおいて、前記押え部材には、前記雄ネジの頂面の一部を露出させるように、前記雄ネジの頭部の外径よりも小さい内径の貫通孔が形成されていてもよい。
【００１３】
上記のいずれかのギターにおいて、前記雄ネジの頭部には、その直径方向に１つ以上の貫通孔又は有底穴が形成されていてもよい。
【００１４】
上記のいずれかのギターにおいて、前記本体側弦係止部は、前記弦の本体側の一端の弦方向の位置を調整可能に係止する係止部材を備えてもよい。
【００１５】
上記の課題を解決する本発明の他の態様は、本体部とネック部とを備えるギターの弦係止構造であって、弦のネック側の一端を係止し、前記ネック部に着脱可能なネック側弦係止部と、前記本体部の前記ネック部と反対側の後端部に固定される基盤部と、前記基盤部よりもネック側に固定されるブリッジ部と、前記弦の本体側の一端を係止し、前記基盤部に着脱可能な本体側弦係止部とを備える。
【００１６】
上記した以外の課題、構成、及び効果は、以下の実施形態の説明により明らかにされる。
【図面の簡単な説明】
【００１７】
【図１】本発明の一実施形態に係るギター（組み立てた状態）の一例を示す斜視図である。
【図２】ギター（３つに分離した状態）の斜視図である。
【図３】ギターケースの一例を示す図である。
【図４】ネック部の着脱構造の一例を説明する図である。
【図５】ネック側弦係止部の着脱構造の一例を示す図である。
【図６】本体側弦係止部の着脱構造の一例を示す図（その１）である。
【図７】本体側弦係止部の着脱構造の一例を示す図（その２）である。
【図８】本体側弦係止部の着脱構造の一例を示す図（その３）である。
【図９】本体側弦係止部の一例を示す分解図である。
【図１０】ブリッジ部の一例を示す分解図である。
【図１１】ブリッジ部の平面図である。
【図１２】ブリッジ部の他の例を示す分解図である。
【図１３】ブリッジ部の平面図である。
【発明を実施するための形態】
【００１８】
以下、本発明の一実施形態の一例について、図面を参照して説明する。
【００１９】
図１は、本発明の一実施形態に係るギター（組み立てた状態）の一例を示す斜視図である。
【００２０】
ギター１は、４弦のエレクトリック・ベースギターである。ギター１は、本体部１０と、ネック部２０と、ネック側弦係止部３０と、本体側弦係止部４０と、基盤部４１と、ブリッジ部５０とを備える。本体部１０は、ピックアップ１１、ピックガード、ボリューム・コントロール、トーン・コントロールなどの構成要素を備えてもよい。本実施形態のネック部２０は、フレットレスに構成されているが、フレットを備えていてもよい。ネック部２０は、ナット２１、指板などの構成要素を備えてもよい。
【００２１】
図１に示すように、弦Ｓは、その両端がネック側弦係止部３０と本体側弦係止部４０に係止されることにより、ナット２１及びブリッジ部５０を介してギター１に張られる。
【００２２】
図２は、ギター（３つに分離した状態）の斜視図である。図２は、ギターを持ち運ぶ際に、ギター１がどのように分解されるかを示している。
【００２３】
ギター１は、分離及び組み立て可能な構造を有している。すなわち、ネック側弦係止部３０は、ネック部２０に着脱可能に構成される。また、本体側弦係止部４０は、本体部１０に固定された基盤部４１に着脱可能に構成される。また、ネック部２０は、本体部１０に着脱可能に構成される。また、詳細は後述するが、上述の各部は、手作業で容易に着脱できるように構成されている。
【００２４】
図３は、ギターケースの一例を示す図である。図３は、ギター１を持ち運ぶ際に、分解されたギター１の各部がどのようにギターケースに収納されるかの一例を示している。
【００２５】
ギターケースＣは、両開きの箱状のケースであり、下ボディ部Ｃ１と、ヒンジ等で開閉自在に下ボディ部Ｃ１に接続された上ボディ部Ｃ２とを備える。下ボディ部Ｃ１には、本体部１０及びネック部２０それぞれの形状に対応した穴が形成された緩衝材が設けられており、本体部１０及びネック部２０それぞれを嵌め込むことができる。上ボディ部Ｃ２には、ネック側弦係止部３０及び本体側弦係止部４０それぞれの形状に対応した穴が形成された緩衝材が設けられており、ネック側弦係止部３０及び本体側弦係止部４０それぞれを嵌め込むことができる。また、上ボディ部Ｃ２の緩衝材には、ネック側弦係止部３０及び本体側弦係止部４０に係止された弦Ｓを収納する穴が形成されており、弦Ｓを嵌め込むことができる。上ボディ部Ｃ２には、弦Ｓの動きを制止する紐などの固定部材が設けられていてもよい。
【００２６】
図４は、ネック部の着脱構造の一例を説明する図である。
【００２７】
ネック部２０は、本体側の裏側（指板と反対側）に固定されたプレート２０１を備える。プレート２０１は、例えば、ステンレスなどの金属で構成され、ネジ等の固定手段によりネック部２０に固定される。プレート２０１には、雄ネジ２０５の軸部を通すとともに締結するための雌ネジ孔２０２が形成されている。また、ネック部２０の裏側には、雌ネジ孔２０２と対応する位置に、雄ネジ２０５の軸部を挿入するための穴が形成されている。
【００２８】
本体部１０には、ネック部２０の本体側の端部をセットするための凹部１０５が形成されている。また、凹部１０５の底面には、プレート２０１の形状に対応した凹状の受け部１０６が形成されている。また、本体部１０は、裏側（ピックアップ１１と反対側）に、受け部１０６と対応する位置に固定されたプレート１０１を備える。プレート１０１は、例えば、ステンレスなどの金属で構成され、ネジ等の固定手段により本体部１０に固定される。プレート１０１には、雄ネジ２０５の軸部を通すための貫通孔１０２が形成されている。また、受け部１０６の底面には、貫通孔１０２と対応する位置に、雄ネジ２０５の軸部を通すための貫通孔が形成されている。
【００２９】
ネック部２０は、プレート２０１を受け部１０６に嵌め込むことにより凹部１０５にセットされる。この状態で、本体部１０の裏側の貫通孔１０２から雄ネジ２０５の軸部を挿入し、ネジ締め方向に回転させることで、雌ネジ孔２０２に雄ネジ２０５が締結され、ネック部２０が本体部１０に固定される。なお、雄ネジ２０５の頭部は、人間が指で掴んで回すことができるように形成されていてもよい。
【００３０】
このような着脱構造により、ユーザーは、ネック部２０を本体部１０に対して簡単に着脱することがきる。もちろん、ネック部２０を本体部１０に対して着脱できれば、着脱構造は上記の例に限られない。
【００３１】
図５は、ネック側弦係止部の着脱構造の一例を示す図である。
【００３２】
ネック側弦係止部３０は、ネック部２０の先端（本体部１０から遠い側）に、着脱可能に構成される。ネック側弦係止部３０は、例えば、鉄などの金属で構成される。ネック側弦係止部３０は、半円柱状に形成されており、その曲面が指板と反対側に向き、かつその中心軸が弦方向と沿うように配置される。ネック側弦係止部３０には、雄ネジ３１５の軸部を弦方向に通すための貫通孔３０１が形成されている。また、ネック側弦係止部３０の上部（ネック部２０の指板側）には、弦Ｓそれぞれに対応して弦方向に沿って溝部３０２が形成されている。また、溝部３０２の内壁には、雄ネジ３０３を上方から挿入して締結するための雌ネジが形成されている。
【００３３】
ネック部２０は、その先端面に固定された基盤部３１を備える。基盤部３１は、例えば、鉄などの金属で構成され、ネジ等の固定手段によりネック部２０の先端面に固定される。基盤部３１には、雄ネジ３１５の軸部を弦方向に通すとともに締結するための雌ネジ孔３１１が形成されている。また、ネック部２０の先端部には、雌ネジ孔３１１と対応する位置に、雄ネジ３１５の軸部を挿入するための穴（図示せず）が形成されている。
【００３４】
弦Ｓの一端を溝部３０２に挿入した状態で、雄ネジ３０３をセットしてネジ締め方向に回転させることで、雄ネジ３０３の先端面と溝部３０２の底面によって弦Ｓの一端が挟持され、ネック側弦係止部３０に弦Ｓの一端が係止される。なお、雄ネジ３０３の頭部には、レンチ等の工具で回すことができるように穴が形成されていてもよいし、人間が指で掴んで回すことができるように形成されていてもよい。
【００３５】
ネック側弦係止部３０は、貫通孔３０１が雌ネジ孔３１１と対応するように基盤部３１にセットされる。この状態で、貫通孔３０１から雄ネジ３１５の軸部を挿入し、ネジ締め方向に回転させることで、雌ネジ孔３１１に雄ネジ３１５が締結され、ネック側弦係止部３０がネック部２０に固定される。なお、雄ネジ３１５の頭部は、人間が指で掴んで回すことができるように形成されていてもよい。また、ネック側弦係止部３０及び基盤部３１の対向する両面には、互いに嵌り合う一組以上の凸部及び凹部が形成されていてもよい。このようにすれば、基盤部３１に対するネック側弦係止部３０の位置及び向きを決定し易くするとともに、雄ネジ３１５の回転によるネック側弦係止部３０の回転を防ぐことができる。
【００３６】
このような着脱構造により、ユーザーは、ネック側弦係止部３０をネック部２０に対して簡単に着脱することがきる。もちろん、ネック側弦係止部３０をネック部２０対して着脱できれば、着脱構造は上記の例に限られない。また、弦Ｓを係止することができれば、ネック側弦係止部３０の構造は、上記の例に限られない。
【００３７】
図６〜８は、本体側弦係止部の着脱構造の一例を示す図（その１〜３）である。図６は、本体側弦係止部４０が基盤部４１から取り外された状態を示している。図７〜８は、本体側弦係止部４０が基盤部４１に装着された状態を示している。図８は、本体側弦係止部４０及び基盤部４１の側面を示している。
【００３８】
基盤部４１及びブリッジ部５０は、本体部１０の表面の後端部（ネック部２０と反対側）に、ネジ等の固定手段により固定される（図１参照）。基盤部４１は、ブリッジ部５０よりも後側に配置される。本実施形態の一例では、基盤部４１及びブリッジ部５０は一体的に接続されているが、分離されていてもよい。基盤部４１及びブリッジ部５０は、例えば、鉄などの金属で構成される。
【００３９】
基盤部４１は、基板部材４１１と、左右１対の板部材４１２（本発明の「第１の制限部」に相当する）と、板部材４１３（本発明の「第２の制限部」に相当する）とを備える。基板部材４１１は、本体部１０に固定される。左右の板部材４１２は、互いに向かい合うように基板部材４１１の左右端部の上側に立設される。さらに、左右の板部材４１２の先端部は、基板部材４１１と向かい合うように直角に曲げられて形成される。板部材４１３は、本体部１０の後側面に向かい合うように基板部材４１１の後端部の下側に立設される。
【００４０】
本体側弦係止部４０は、基盤部４１に着脱可能に構成される。本体側弦係止部４０は、例えば、鉄などの金属で構成される。本体側弦係止部４０は、弦Ｓそれぞれの一端を弦方向の位置を調整可能に係止する。本体側弦係止部４０は、直方体状に形成され、基板部材４１１と左右の板部材４１２とに囲まれる空間に挿入可能である。また、本体側弦係止部４０は、基板部材４１１の板部材４１３に係合させるための板部材４０４（本発明の「係合部」に相当する）を備える。板部材４０４は、本体部１０の後側面に向かい合うように本体側弦係止部４０の後端部の下側に立設される。さらに、板部材４０４の先端部は、板部材４１３の先端面と向かい合うように直角に曲げられて形成される。
【００４１】
本体側弦係止部４０は、基盤部４１の後方から、基板部材４１１と左右の板部材４１２とに囲まれる空間（多少の遊びが設けられてもよい）に挿入され、板部材４０４が板部材４１３に係合するようにセットされる。この状態で、弦Ｓの張力を強めて行くと、本体側弦係止部４０は、弦Ｓの張力によりネック側に引っ張られる。しかし、本体側弦係止部４０のネック側への動きは、板部材４０４が板部材４１３の後側面に当接することよって制限され、停止する。なお、本体側弦係止部４０の左右方向の動きは、左右の板部材４１２によって制限される。また、本体側弦係止部４０の上方向への動きは、左右の板部材４１２の先端部によって制限される。また、本体側弦係止部４０の特に後端部の上方向への動きは、板部材４０４の先端部が板部材４１３の先端面に当接することによって制限される。
【００４２】
図９は、本体側弦係止部の一例を示す分解図である。
【００４３】
本体側弦係止部４０は、枠部材４０１と、上側板部材４０２と、下側板部材４０３と、弦Ｓそれぞれに対応する係止部材４０５とを備える。本体側弦係止部４０の各部材は、例えば、鉄などの金属で構成される。枠部材４０１は、後側の壁部材と左右の壁部材により形成され、ネジ等の固定手段により下側板部材４０３の上面に固定される。上側板部材４０２は、ネジ等の固定手段により枠部材４０１の上面に固定される。枠部材４０１、上側板部材４０２、及び下側板部材４０３により囲まれて形成される空間には、弦Ｓそれぞれに対応する係止部材４０５が収納される。なお、下側板部材４０３の下面の後端部には、上述の板部材４０４が設けられている。
【００４４】
係止部材４０５は、直方体状に形成されており、そのネック側には、弦Ｓのボールエンドを上方から挿入して収納するための溝部４０６が形成されている。溝部４０６のネック側の入口部の幅は、弦Ｓのボールエンドの外径よりも小さく形成される。また、溝部４０６の内壁には、雄ネジ４０７を上方から挿入して締結するための雌ネジが形成されている。また、係止部材４０５の後側には、雄ネジ４０８の軸部を弦方向に通すとともに締結するための雌ネジ孔（図示せず）が形成されている。また、枠部材４０１の後側の壁部材には、雄ネジ４０８の軸部を弦方向に通すための貫通孔４０１１が形成されている。
【００４５】
係止部材４０５は、枠部材４０１、上側板部材４０２、及び下側板部材４０３により囲まれて形成される空間内に挿入される。この状態で、枠部材４０１の後側から、貫通孔４０１１及びコイルバネ４０９に雄ネジ４０８の軸部を挿入し、ネジ締め方向に回転させることで、係止部材４０５の雌ネジ孔に雄ネジ４０８が締結され、係止部材４０５が枠部材４０１に接続及び支持される。係止部材４０５は、雄ネジ４０８を左又は右に回転させることにより、弦方向に移動可能である。なお、上側板部材４０２には、係止部材４０５の溝部４０６に挿入された雄ネジ４０７の頂面が露出するように、開口４０２１が設けられている。
【００４６】
弦Ｓのボールエンドを溝部４０６に挿入した状態で、雄ネジ４０７をセットしてネジ締め方向に回転させることで、雄ネジ４０７の先端面と溝部４０６の底面によって弦Ｓのボールエンドが挟持され、係止部材４０５に弦Ｓの一端が係止される。この状態で、弦Ｓの張力を強めて行くと、弦Ｓのボールエンドは、ネック側に引っ張られて動くが、溝部４０６の入口部に引っ掛かり、停止する。なお、雄ネジ４０７の頭部には、レンチ等の工具で回すことができるように穴が形成されていてもよいし、人間が指で掴んで回すことができるように形成されていてもよい
【００４７】
図１０は、ブリッジ部の一例を示す分解図である。図１１は、ブリッジ部の平面図である。図１０及び図１１では、基盤部４１を破線で示している。
【００４８】
ブリッジ部５０は、基板部材５０１と、左右の側壁部材５０２と、ネック側壁部材５０３と、弦Ｓそれぞれに対応するサドル５０５とを備える。ブリッジ部５０の各部材は、例えば、鉄などの金属で構成される。基板部材５０１は、本体部１０に固定される。左右の側壁部材５０２は、互いに向かい合うように基板部材５０１の左右端部に立設される。ネック側壁部材５０３は、基板部材５０１のネック側端部に立設される。基板部材５０１、左右の側壁部材５０２、及びネック側壁部材５０３により囲まれて形成される空間には、弦Ｓそれぞれに対応するサドル５０５が収納される。
【００４９】
サドル５０５は、直方体状に形成されており、その左右方向の中央部には弦Ｓの下面に接触して支持する支持部５０５１が形成されている。また、サドル５０５には、支持部５０５１の左右両側に、２つの雄ネジ５０６の軸部を上下方向に通すとともに締結するための２つの雌ネジ孔が形成されている。雄ネジ５０６を左又は右に回転させることで、雌ネジ孔からサドル５０５の下方に突出する雄ネジ５０６の軸部の長さを変更可能である。これにより、サドル５０５の高さ（弦Ｓの高さ）を調整することができる。
【００５０】
また、サドル５０５には、そのネック側の面に、雄ネジ５０７の軸部を弦方向に通すとともに締結するための雌ネジ孔５０５２が形成されている。ネック側壁部材５０３には、雄ネジ５０７の軸部を弦方向に通すための貫通孔５０３１が形成されている。雄ネジ５０７は、例えば皿ネジであり、貫通孔５０３１の内壁は、雄ネジ５０７の頂面がネック側壁部材５０３のネック側面から突出しないように、雄ネジ５０７の頭部の形状に合わせて形成されている。
【００５１】
ネック側壁部材５０３のネック側から、貫通孔５０３１及びコイルバネ５０８に雄ネジ５０７の軸部を挿入し、ネジ締め方向に回転させることで、サドル５０５の雌ネジ孔５０５２に雄ネジ５０７が締結され、サドル５０５がネック側壁部材５０３に接続及び支持される。雄ネジ５０７を左又は右に回転させることで、弦方向に移動可能である。これにより、サドル５０５の弦方向の位置（弦Ｓのスケール）を調整することができる。なお、雄ネジ５０７、コイルばね５０８、及び貫通孔５０３１は、各サドル５０５に対応して設けられる。
【００５２】
さらに、ネック側壁部材５０３には、そのネック側面に、押え部材５０４が固定される。サドル５０５の支持部５０５１には、張られた弦Ｓの摩擦によってネック方向への力が加わる。そのため、雄ネジ５０７の頭部が弦方向に自由に移動可能な状態では、雄ネジ５０７及びサドル５０５がネック方向に移動してしまう。そこで、押え部材５０４は、雄ネジ５０７の頭部を押えてサドル５０５のネック方向への移動を制限するために設けられる。
【００５３】
本実施形態の押え部材５０４は、ネジ構造によりネック側壁部材５０３に固定される。すなわち、押え部材５０４には、雄ネジ５０９の軸部を弦方向に通すとともに締結するための雌ネジ孔５０４２が形成されている。ネック側壁部材５０３には、雄ネジ５０９の軸部を弦方向に通すとともに締結するための雌ネジ孔５０３２が形成されている。もちろん、雄ネジ５０９の数は、図示するように４本に限られない。また、押え部材５０４も固定方法は、ネジ構造に限られず、溶着などの他の方法でもよい。
【００５４】
ここで、押え部材５０４には、雄ネジ５０７の頂面の一部が露出するように、貫通孔５０４１が設けられている。貫通孔５０４１の内径は、雄ネジ５０７の頭部の外径よりも小さく形成される。ただし、貫通孔５０４１の内径は、雄ネジ５０７を回すためのスクリュードライバー等の工具の先端部の外径よりも大きく形成される。これにより、押え部材５０４をネック側壁部材５０３に固定したままでも、サドル５０５の弦方向の位置を容易に調整することができる。
【００５５】
図１０及び図１１に示すブリッジ部５０は、スクリュードライバー等の工具をネック側から貫通孔５０４１に挿入することで、サドル５０５の弦方向の位置を調整可能である。従って、ピックアップ１１がブリッジ部５０から十分離れて設置されているギター１（図１、いわゆるプレシジョン・ベースのようなタイプ）では、問題はない。しかし、ピックアップ１１がブリッジ部５０の近くに設置されているギター（例えばいわゆるジャズ・ベースのようなタイプ）では、問題が起こる。例えば、スクリュードライバー等の工具の持ち手あるいは作業者の手が、ピックアップ１１に邪魔され、スクリュードライバー等の工具をネック側から貫通孔５０４１に上手く挿入することができない。そこで、ブリッジ部５０は、下記のブリッジ部５０Ａのように構成してもよい。
【００５６】
図１２は、ブリッジ部の他の例を示す分解図である。図１３は、ブリッジ部の平面図である。図１２及び図１３では、基盤部４１を破線で示している。ブリッジ部５０と異なる点を中心にブリッジ部５０Ａについて説明する。
【００５７】
ブリッジ部５０Ａのネック側壁部材５０３には、雄ネジ５０７Ａの軸部を弦方向に通すための貫通孔５０３１Ａが形成されている。雄ネジ５０７Ａの頭部は、円柱状に形成されており、その直径方向に１つ以上の貫通孔５０７１Ａが形成されている。なお、貫通孔５０７１Ａの替わりに、有底の穴を形成するようにしてもよい。いずれか貫通孔５０７１Ａにレンチ等の工具を挿入して、雄ネジ５０７Ａを左又は右に回転させることで、サドル５０５を弦方向に移動可能である。なお、押え部材５０４は、雄ネジ５０７Ａの頭部を押えてサドル５０５のネック方向への移動を制限するために設けられる。押え部材５０４には、貫通孔５０４１（図１０）が設けられていなくてよい。また、押え部材５０４とネック側壁部材５０３に挟まれて雄ネジ５０７Ａの頭部の回転が困難にならないように、押え部材５０４とネック側壁部材５０３の間には、各雄ネジ５０９の軸部を貫通させるスペーサー（例えば、円筒状のスペーサー）を挟むようにしてもよい。各スペーサーの弦方向の寸法は、雄ネジ５０７Ａの頭部の弦方向の寸法よりも、長く形成される。
【００５８】
ブリッジ部５０Ａを用いれば、本体部１０の上方あるいは左右方向からレンチ等の棒状の工具を貫通孔５０７１Ａに挿入できる。これにより、ブリッジ部５０Ａのネック側の近くに設置されたピックアップ１１等に邪魔されることなく、サドル５０５の弦方向の位置を調整することができる。
【００５９】
最後に、ギター１を持ち運ぶ際の分解の手順の一例を説明する。（１）各弦Ｓについて、雄ネジ４０８を所定回転方向に回して、係止部材４０５をネック方向に移動させ、弦Ｓの張力を緩める。（２）雄ネジ３１５を所定回転方向に回して取り外し、ネック側弦係止部３０を基盤部３１から取り外す。（３）本体側弦係止部４０を本体部１０の後方向にスライドさせて、基盤部４１から取り外す。なお、ギター１の組み立ては、例えば、上記の分解手順の逆を行えばよい。
【００６０】
以上、本発明の一実施形態の一例について説明した。本実施形態によれば、弦やギターの破損を防止し易くするとともに、収納や持ち運びの利便性をより向上したギターを提供することができる。
【００６１】
上記の本発明の実施形態は、本発明の要旨と範囲を例示することを意図し、限定するものではない。例えば、ギター１の各部の配置、寸法、形状等の構成は、本発明の目的を達成できれば、図示した例に限られない。また例えば、「直角」などの形や関係を示す言葉を用いているが、言葉どおりの厳密な意味に限られず、その意味と実質的に同一な場合（すなわち、本発明の効果を発揮できる場合）も含む。本発明は、本発明の要旨の範囲内で種々の変形実施が可能である。もちろん、ある実施形態や変形例の一部の構成を、他の実施形態や変形例に加えたり、他の実施形態や変形例の一部の構成と置換したりしてもよい。
【００６２】
また、部材どうしの接続方法は、ネジを用いて連結するのに限られず、金属板等の曲げ加工、溶接、接着等の他の手段を用いて一体的に接続するものであってもよい。
【００６３】
本発明に係るギターは、エレクトリック・ベースに限らず、エレクトリック・ギター、アコースティック・ベース、アコースティック・ギター、等のギター類を含む。また、本発明は、ギターに限らず、弦係止構造、弦係止方法などの様々な形態によって提供することができる。また、本発明は、ギターに限らず他の弦楽器（特に撥弦楽器）にも適用できる。
【符号の説明】
【００６４】
１…ギター、１０…本体部、１１…ピックアップ、２０…ネック部、２１…ナット、３０…ネック側弦係止部、３１…基盤部、４０…本体側弦係止部、４１…基盤部、５０…ブリッジ部、５０Ａ…ブリッジ部、１０１…プレート、１０２…貫通孔、１０５…凹部、１０６…受け部、２０１…プレート、２０２…雌ネジ孔、２０５…雄ネジ、３０１…貫通孔、３０２…溝部、３０３…雄ネジ、３１１…雌ネジ孔、３１５…雄ネジ、４０１…枠部材、４０２…上側板部材、４０３…下側板部材、４０４…板部材、４０５…係止部材、４０６…溝部、４０７…雄ネジ、４０８…雄ネジ、４０９…コイルバネ、４１１…基板部材、４１２…板部材、４１３…板部材、５０１…基板部材、５０２…側壁部材、５０３…ネック側壁部材、５０４…押え部材、５０５…サドル、５０６…雄ネジ、５０７…雄ネジ、５０７Ａ…雄ネジ、５０８…コイルバネ、５０９…雄ネジ、４０１１…貫通孔、４０２１…開口、５０３１…貫通孔、５０３１Ａ…貫通孔、５０３２…雌ネジ孔、５０４１…貫通孔、５０４２…雌ネジ孔、５０５１…支持部、５０５２…雌ネジ孔、５０７１Ａ…貫通孔、Ｃ…ギターケース、Ｃ１…下ボディ部、Ｃ２…上ボディ部、Ｓ…弦
【図１】
2018028639.tif 000003
【図２】
2018028639.tif 000004
【図３】
2018028639.tif 000005
【図４】
2018028639.tif 000006
【図５】
2018028639.tif 000007
【図６】
2018028639.tif 000008
【図７】
2018028639.tif 000009
【図８】
2018028639.tif 000010
【図９】
2018028639.tif 000011
【図１０】
2018028639.tif 000012
【図１１】
2018028639.tif 000013
【図１２】
2018028639.tif 000014
【図１３】
2018028639.tif 000015